(57)【要約】      （修正有）【課題】サウナ装置と、それを用いたサウナ室に関するもので、既設住宅に、サウナ装置を簡単に装着できるようにすること。【解決手段】サウナ筐体１の天井７上面に配置されるレール１０と、このレール１０に可動自在に支持されるサウナ機器１１とを備え、前記サウナ機器１１は、温水、あるいは蒸気の噴出手段と、この噴出手段の下方に配置した噴出口カバーとを有する構成とした。【選択図】図１
2011019733.tif 000002
【特許請求の範囲】
【請求項１】
サウナ筐体の天井上面に配置されるレールと、このレールに可動自在に支持されるサウナ機器とを備え、前記サウナ機器は、温水、あるいは蒸気の噴出手段と、この噴出手段の下方に配置した噴出口カバーとを有するサウナ装置。
【請求項２】
レールは所定間隔をおいて配置された少なくとも２本のレールを有し、サウナ機器は、これら２本のレール上に、可動自在に配置される請求項１に記載のサウナ装置。
【請求項３】
２本のレール間の一端側と、他端側に、これら２本のレールの結合体を設けた請求項２に記載のサウナ装置。
【請求項４】
レールは、伸縮自在とした請求項１〜３のいずれか一つに記載のサウナ装置。
【請求項５】
レールは、複数のレールを結合した構成とした請求項１〜３のいずれか一つに記載のサウナ装置。
【請求項６】
サウナ機器は、給水ホースを有し、この給水ホースの先端には、給水結合手段を設けた請求項１から５のいずれか一つに記載のサウナ装置。
【請求項７】
天井に点検口を有するサウナ筐体と、このサウナ筐体の天井部に取り付けた請求項１から６のいずれか一つに記載のサウナ装置とを備えたサウナ室。
【請求項８】
天井に点検口を有するサウナ筐体と、このサウナ筐体の天井部に取り付けた請求項６に記載のサウナ装置とを備え、サウナ装置の給水ホースの先端に設けた給水結合手段は、前記点検口の、サウナ筐体内側において、給水手段と結合したサウナ室。
【請求項９】
点検口の、サウナ筐体内側を、サウナ装置の噴出口カバーで覆った請求項７または８に記載のサウナ室。
【請求項１０】
点検口の、サウナ筐体内側を、サウナ装置の噴出口カバーで覆うとともに、この噴出口カバーのサウナ筐体内側において、サウナ装置の給水ホースの先端に設けた給水結合手段を、給水手段と結合した請求項８に記載のサウナ室。
【発明の詳細な説明】
【技術分野】
【０００１】
本発明は、サウナ装置と、それを用いたサウナ室に関するものである。
【背景技術】
【０００２】
サウナ室は、サウナ筐体の天井上面に、サウナ装置を設置することで構成されている。
【０００３】
また、前記サウナ装置は、温水、あるいは蒸気の噴出手段と、この噴出手段の下方に配置した噴出口カバーとを有し、前記噴出口カバーを介して、噴出手段からの温水、あるいは蒸気をサウナ筐体内に噴出させる構成となっている（例えば下記特許文献１）。
【先行技術文献】
【特許文献】
【０００４】
【特許文献１】特開平７−１７１２９９号公報
【発明の概要】
【発明が解決しようとする課題】
【０００５】
前記従来例における課題は、既設住宅には、サウナ装置を簡単には設置することができないと言うことであった。
【０００６】
すなわち、サウナ室は浴室と兼用されることが多く、既設住宅における浴室をサウナ室に変更するためには、その浴室の天井上面に、サウナ装置を設置しなければならない。
【０００７】
しかしながら、近年の浴室は、バスユニットとして売り出され、このバスユニットでは天井も一体化されたユニット構成となっている。
【０００８】
したがって、サウナ装置を、既設住宅のバスユニットの天井上面に設置するためには、このバスユニットの天井を切り離さねばならない。
【０００９】
しかし、一度、切り離した天井を再度バスユニットに一体化することは非常に難しく、また例えこの一体化を行ったとしても、その結合部分が、極めて目立つ状態で、浴室内に露出する状態となるので、バスユニットとしての美観を大幅に低下させてしてしまう。
【００１０】
このため、現実的には、このようにしてまで既設住宅に、サウナ装置を設置することはあまり行われていない。
【００１１】
そこで、本発明は、既設住宅に、サウナ装置を簡単に装着できるようにすることを目的とするものである。
【課題を解決するための手段】
【００１２】
そして、この目的を達成するために本発明のサウナ装置は、サウナ筐体の天井上面に配置されるレールと、このレールに可動自在に支持されるサウナ機器とを備え、前記サウナ機器は、温水、あるいは蒸気の噴出手段と、この噴出手段の下方に配置した噴出口カバーとを有する構成とし、これにより所期の目的を達成するものである。
【発明の効果】
【００１３】
以上のように本発明のサウナ装置は、サウナ筐体の天井上面に配置されるレールと、このレールに可動自在に配置されるサウナ機器とを備え、前記サウナ機器は、温水、あるいは蒸気の噴出手段と、この噴出手段の下方に配置した噴出口カバーとを有する構成としたものであるので、既設住宅に、サウナ機器を簡単に設置できるようになる。
【００１４】
すなわち、本発明のサウナ装置は、そのサウナ機器を、サウナ筐体の天井上面に配置したレールに可動自在に支持させる構成としている。
【００１５】
このため、サウナ筐体の天井面に設置されている既設の点検口から、このレールさえ天井上面に押し込めば、後はこの点検口からサウナ機器を天井上面に押し込み、前記レールに対してサウナ機器を可動自在に支持させれば、サウナ筐体の天井上面に、サウナ装置を簡単に設置することができる。
【００１６】
また、点検口の本来目的である点検を行う時には、サウナ機器をレール上で可動させれば、サウナ機器を点検口外へ移動することができるので、この点検も簡単に行うことができる。
【００１７】
また、点検口はバスユニットの洗い場側に設けることが多く、サウナ浴を行う場所も前記洗い場側で浴びることが位置的に多い。このためサウナ装置から吹き出す向きを変えることにより浴室洗い場のみをサウナ空間とすることができるので、少ない投入熱量でサウナ浴を実現することができる。
【図面の簡単な説明】
【００１８】
【図１】本発明の一実施形態にかかるサウナ装置を設置したサウナ室を示す透視斜視図
【図２】同要部の斜視図
【図３】同要部の透視正面図
【図４】同レールの分解斜視図
【図５】同設置方法を示す斜視図
【図６】同設置方法を示す斜視図
【発明を実施するための形態】
【００１９】
以下、本発明の一実施形態のサウナ室を、添付図面を用いて説明する。
【００２０】
（実施の形態）
図１は本発明の一実施形態を示し、サウナ室を構成するサウナ筐体１は、バスユニットとして既に、住宅に設置されたものである。
【００２１】
すなわち、このサウナ筐体１は立方体形状をしており、内部には浴槽２と、シャワー３、蛇口４、給水栓５が設けられ、また前面側にはドア６が設けられている。
【００２２】
バスユニット化されているサウナ筐体１の天井７には、図２に示すように矩形状の点検口８が設けられており、この点検口８は、通常は蓋（図示せず）で開閉自在に覆われているが、本実施形態では、この蓋を取り除き、この点検口８を利用して天井７部分に、サウナ装置９を設置している。
【００２３】
具体的には、本実施形態のサウナ装置９は、サウナ筐体１の天井７上面に、平行に配置された２本のレール１０と、これら２本のレール１０上に可動自在に支持されたサウナ機器１１とから構成されている。
【００２４】
また、前記サウナ機器１１は、図３に示すように、立方体形状の本体ケース１２と、この本体ケース１２内に設けられた温水、あるいは蒸気の噴出手段１２ａと、この噴出手段１２ａの下方に配置した噴出口カバー１３とを有する。
【００２５】
以上の構成において、サウナ筐体１の天井７部分への、サウナ装置９設置方法について説明する。
【００２６】
この設置については先ず、上述のごとく、サウナ筐体１の天井７部分に設けられている点検口８の蓋（図示せず）を外す。
【００２７】
次に、点検口８からサウナ筐体１の天井７上面側に、レール１０を挿入する。
【００２８】
この時、レール１０は、図４に示すように左右のレール１０ａ、１０ｂに分離されているので、それぞれを点検口８からサウナ筐体１の天井７上面側に挿入し（押し出す）、次に図５に示すごとく各レール１０ａ、１０ｂの外端側の引掛り部１０ｃを、サウナ筐体１の側面１ａ上方に引掛けた状態とする。
【００２９】
そして、この状態で、図４に示すように、ネジ１４を、レール１０ｂのネジ孔１０ｄに螺号させ、これによりレール１０ａ、１０ｂを一体化するとともに、図５に示すように２本のレール１０をサウナ筐体１の天井７上面に、平行に配置する。
【００３０】
この状態で、これら２本のレール１０間の一端側（図２のごとく点検口８から遠方側）には、これら２本のレール１０を結合する結合体１５ａを設ける。
【００３１】
そして、この状態で、図６のごとく、２本のレール１０間の他端側（図６のごとく点検口８側）を外方に広げ、点検口８の外側にレール１０が位置する状態とする。なお、このように２本のレール１０間の他端側（図６のごとく点検口８側）を外方に広げることができるように、上述した各レール１０ａ、１０ｂの外端側の引掛り部１０ｃを、サウナ筐体１の側面１ａ上方に引掛ける時には、これらの引掛り部１０ｃと、側面１ａ間には隙間（図示せず）を設けるようにしている。
【００３２】
さてこのように、２本のレール１０間の他端側（図６のごとく点検口８側）を外方に広げ、点検口８の外側にレール１０が位置する状態とした後、サウナ筐体１内から、点検口８を介して、サウナ機器１１の本体ケース１２を、サウナ筐体１の天井７上面側に押し上げる。勿論このように、点検口８から、本体ケース１２を天井７上面側に押し上げるためには、本体ケース１２は、点検口８よりも水平面の大きさを小さくしている。
【００３３】
次に、この図６に示すように、２本のレール１０間の一端側（結合体１５ａ側）において、サウナ機器１１の本体ケース１２下面側に設けたローラ１６を、レール１０上に載せる。
【００３４】
次に、レール１０間の他端側（図６のごとく点検口８側）も結合体１５ｂで結合し、これによりサウナ筐体１の天井７上面側において、２本のレール１０を平行に配置すると共に、この平行配置された２本のレール１０上にサウナ機器１１の本体ケース１２を、ローラ１６で可動自在に配置する。
【００３５】
なお、この状態において、サウナ機器１１の本体ケース１２下面側には、２本のレール１０内面側に沿うように、レール外れ防止部１７が設けられているので、２本のレール１０上を、サウナ機器１１の本体ケース１２が可動する時に、この本体ケース１２がレール１０上から脱落することはない。
【００３６】
さてこのように、サウナ筐体１の天井７上面側に、サウナ機器１１の本体ケース１２が配置された後には、この天井７上面側において電気的接続（図示せず）を行い、次にサウナ機器１１の本体ケース１２内から、サウナ機器１１の給水ホース１８の先端に設けた給水結合手段１９を、前記点検口８から、サウナ筐体１内側に降ろす。
【００３７】
そして、サウナ筐体１内側において、サウナ機器１１の給水結合手段１９と、給水ホース２０の給水結合手段２１を結合する。
【００３８】
給水ホース２０は図１のごとく給水栓５から分岐したもので、この給水栓５からは、給水ホース２０、１８を介して水、または温水が噴出手段１２ａに供給され、この噴出手段１２ａにより、加熱、微細化が行われる。
【００３９】
そして、このようにして噴出手段１２ａで発生した温水、あるいは蒸気が、噴出口カバー１３を介してサウナ筐体１内に供給され、これによりサウナ筐体１内で、サウナを体感することができる。
【００４０】
なお、噴出口カバー１３は、図３に示すようにサウナ機器１１の本体ケース１２に対して上下動自在に取り付けられるようになっており、これにより噴出口カバー１３がサウナ筐体１の天井７面にフィットし、美観の高い状態で取り付けられるようになっている。
【００４１】
また、この図３に示すように、点検口８上にサウナ機器１１が存在する状態では、点検口８の上面は、サウナ機器１１の本体ケース１２で覆われた状態となっているので、点検口８から温水、あるいは蒸気がサウナ筐体１外へと漏れることはない。
【００４２】
さて、サウナ筐体１の天井７上面側において、このサウナ装置９や、他の設備の点検をする時には、先ずサウナ機器１１の給水結合手段１９と、給水ホース２０の給水結合手段２１との結合を解除し、次に噴出口カバー１３を本体ケース１２から取り外し、その後、サウナ機器１１の本体ケース１２をローラ１６転動により、図６に示す方向に移動させ、これにより点検口８を露出させる。
【００４３】
その結果、点検口８からサウナ筐体１外に顔を突き出し、これにて適宜の点検を行う。
【００４４】
また、この点検後は、上記組み立て時と同じように、ローラ１６転動により点検口８部分にサウナ機器１１を移動させ、次にこのサウナ機器１１の給水結合手段１９を、前記点検口８から、サウナ筐体１内側に降ろす。
【００４５】
そして、サウナ筐体１内側において、サウナ機器１１の給水結合手段１９と、給水ホース２０の給水結合手段２１を結合し、次に噴出口カバー１３をサウナ機器１１の本体ケース１２に装着する。
【００４６】
なお、上述した実施形態では、複数のレール１０ａ、１０ｂを結合してレール１０を構成したが、レール１０は、伸縮自在としても良い。つまり、レール１０を点検口８からサウナ筐体１上に挿入する時には収縮させ、その後サウナ筐体１上で伸ばすようにしても良い。
【産業上の利用可能性】
【００４７】
以上のように本発明のサウナ装置は、サウナ筐体の天井上面に配置されるレールと、このレールに可動自在に配置されるサウナ機器とを備え、前記サウナ機器は、温水、あるいは蒸気の噴出手段と、この噴出手段の下方に配置した噴出口カバーとを有する構成としたものであるので、既設住宅に、サウナ機器を簡単に設置できるようになる。
【００４８】
すなわち、本発明のサウナ装置は、そのサウナ機器を、サウナ筐体の天井上面に配置したレールに可動自在に支持する構成としている。
【００４９】
このため、サウナ筐体の天井面に設置されている既設の点検口から、このレールさえ天井上面に押し込めば、後はこの点検口からサウナ機器を天井上面に押し込み、前記レールに対してサウナ機器を可動自在に支持させれば、サウナ筐体の天井上面に、サウナ装置を簡単に設置することができる。
【００５０】
また、点検口の本来目的である点検を行う時には、サウナ機器をレール上で可動させれば、サウナ機器を点検口外へ移動することができるので、この点検も簡単に行うことができる。
【００５１】
このため、既設の住宅の住民もサウナを簡単に楽しめるものとなる。
【符号の説明】
【００５２】
１      サウナ筐体
２      浴槽
３      シャワー
４      蛇口
５      給水栓
６      ドア
７      天井
８      点検口
９      サウナ装置
１０、１０ａ、１０ｂ  レール
１１    サウナ機器
１２    本体ケース
１２ａ  噴出手段
１３    噴出口カバー
１４    ネジ
１５ａ、１５ｂ  結合体
１６    ローラ
１７    レール外れ防止部
１８    給水ホース
１９    給水結合手段
２０    給水ホース
２１    給水結合手段
【図１】
2011019733.tif 000003
【図２】
2011019733.tif 000004
【図３】
2011019733.tif 000005
【図４】
2011019733.tif 000006
【図５】
2011019733.tif 000007
【図６】
2011019733.tif 000008